(57)【要約】【課題】マイクロ流路内において、流体を適切に混合させること。【解決手段】マイクロ流路チップ１０は、第１流体Ａが流れる流路１１ｂと、流路１１ｂと側壁１２１を介して隣接する空隙部１２と、空隙部１２から側壁１２１を貫通し、先端部分が流路１１ｂに挿入され、流路１１ｂに対して第２流体Ｂを注入する注入部１３と、を備える。【選択図】図１
2020014980.tif 000002
【特許請求の範囲】
【請求項１】
第１流体が流れる流路と、
前記流路と側壁を介して隣接する空隙部と、
前記空隙部から前記側壁を貫通し、先端部分が前記流路に挿入され、前記流路に対して第２流体を注入する注入部と、を備える、
マイクロ流路チップ。
【請求項２】
前記流路の幅は、前記注入部から注入される前記第２流体の液滴の幅よりも狭い、
請求項１に記載のマイクロ流路チップ。
【請求項３】
前記注入部は、ガラスまたは金属からなる、
請求項１または２に記載のマイクロ流路チップ。
【請求項４】
基板と、前記基板に積層された樹脂層とを有し、
前記樹脂層には、前記側壁を介して前記流路と前記空隙部とが形成されている、
請求項１〜３のいずれか一項に記載のマイクロ流路チップ。
【請求項５】
前記樹脂層は、シリコン樹脂からなる、
請求項４に記載のマイクロ流路チップ。
【請求項６】
前記基板は、ガラスからなる、
請求項４または５に記載のマイクロ流路チップ。
【請求項７】
請求項１〜６のいずれか１項に記載のマイクロ流路チップと、
前記注入部に接続されたアクチュエータと、
前記アクチュエータの駆動を制御する制御部と、を備える、
マイクロ流路デバイス。
【請求項８】
前記制御部は、前記注入部が軸方向に振動しながら前記流路に対して前記第２流体を注入するように、前記アクチュエータの駆動を制御する、
請求項７に記載のマイクロ流路デバイス。
【請求項９】
流路の型の近傍に、前記流路の型に接触させないで空隙形成部材を配置するステップと、
前記流路の型と、前記空隙形成部材とを樹脂で覆うステップと、
前記樹脂を硬化するステップと、
硬化した前記樹脂を前記流路の型と、前記空隙形成部材とから取り外して、前記樹脂に前記流路と空隙部とを形成するステップと、
取り外した前記樹脂を基板に接着するステップと、
前記空隙部から、前記流路と前記空隙部との間の側壁を貫通させて、前記流路に注入部を挿入するステップと、を含む、
マイクロ流路チップの製造方法。
【請求項１０】
前記空隙形成部材は、ガラスからなる、
請求項９に記載のマイクロ流路チップの製造方法。
【発明の詳細な説明】
【技術分野】
【０００１】
本発明は、マイクロ流路チップ、マイクロ流路デバイス、およびマイクロ流路チップの製造方法に関する。
【背景技術】
【０００２】
バイオテクノロジ分野や、生化学分野などでは、例えば、細胞１つ１つの機能を調べるシングルセル解析に関する研究が活発に行われている。例えば、人体などの器官を構成する細胞１つ１つを調べるためには膨大な数の実験を行う必要がある。このような実験を小型で安価な機器で高速に行うことができるようにするための装置として、マイクロ流路が注目を集めている。
【０００３】
例えば、特許文献１には、マイクロ流路内に気体を注入するために、マイクロ流路中に気体を注入するためのマイクロピペットを、マイクロ流路の中央まで挿入した混合器の製造方法が開示されている。
【先行技術文献】
【特許文献】
【０００４】
【特許文献１】特開２００７―２１６０８６号公報
【発明の概要】
【発明が解決しようとする課題】
【０００５】
特許文献１は、マイクロ流路中にマイクロピペットを注入するための空隙を形成している。このような空隙を形成するために、特許文献１では、流路のパターンの一部に達するように金属の針を置き、針の先端と流路のパターンの間の空隙を形成する箇所に水滴をたらした後、全体をシリコン樹脂で固化している。この場合、マイクロ流路や空隙が形成される前に水滴が蒸発してしまったり、針の周りを樹脂で固める際にマイクロ流路がつぶれてしまったりすることがある。このため、特許文献１には、適切に流体を混合させることのできるマイクロ流路チップが得られない可能性がある。
【０００６】
本発明は、上記の課題に鑑みてなされたものであって、流体を適切に混合させることのできるマイクロ流路チップ、マイクロ流路デバイス、およびマイクロ流路チップの製造方法を提供することを課題とする。
【課題を解決するための手段】
【０００７】
本発明の第１の態様のマイクロ流路チップは、第１流体が流れる流路と、前記流路と側壁を介して隣接する空隙部と、前記空隙部から前記側壁を貫通し、先端部分が前記流路に挿入され、前記流路に対して第２流体を注入する注入部と、を備える。
【０００８】
これにより、流路に挿入された注入部によって、第２流体を第１流体が流れる流路に注入することができる。したがって、マイクロ流路チップは、流路を流れる第１流体と、注入部から注入された第２流体とを適切に混合させることができる。
【０００９】
マイクロ流路チップの望ましい態様として、前記流路の幅は、前記注入部から注入される前記第２流体の液滴の幅よりも狭い。これにより、注入部から注入された第２流体が第１流体と混合せずに逃げてしまうことを防止することができる。したがって、流路を流れる第１流体と、注入部から注入された第２流体とを、より適切に混合させることができる。
【００１０】
マイクロ流路チップの望ましい態様としては、前記注入部は、ガラスまたは金属からなる。これによれば、注入部として既存の部材を使用することができる。
【００１１】
マイクロ流路チップの望ましい態様としては、基板と、前記基板に積層された樹脂層とを有し、前記樹脂層には、前記側壁を介して前記流路と前記空隙部とが形成されている。これによれば、流路と、側壁と、空隙部とを有するマイクロ流路チップとして既存の部材を使用することができる。
【００１２】
マイクロ流路チップの望ましい態様としては、前記樹脂層は、シリコン樹脂からなる。これによれば、樹脂層として既存の部材を使用することができる。また、シリコン樹脂は、注入部と比較して軟らかいため、注入部を容易に突き刺すことができる。
【００１３】
マイクロ流路チップの望ましい態様としては、前記基板は、ガラスからなる。これによれば、基板として既存の部材を使用することができる。また、ガラスは、樹脂層との接着性が比較的よいため、流路を容易に作成することができる。
【００１４】
本発明の第２の態様のマイクロ流路デバイスは、本発明の第１の態様のマイクロ流路チップと、前記注入部に接続されたアクチュエータと、前記アクチュエータの駆動を制御する制御部と、を備える。
【００１５】
これにより、アクチュエータを制御することによって、第１流体への第２流体の注入精度を向上させることができる。したがって、マイクロ流路デバイスは、流路を流れる第１流体と、注入部から注入された第２流体とを、適切に混合させることができる。
【００１６】
マイクロ流路デバイスの望ましい態様としては、前記制御部は、前記注入部が軸方向に振動しながら前記流路に対して前記第２流体を注入する。これによれば、第１流体の液滴の膜を注入部が貫きやすくすることができるので、第１流体と、第２流体とをより適切に混合させることができる。
【００１７】
本発明の第３の態様のマイクロ流路チップの製造方法は、流路の型の近傍に、前記流路の型に接触させないで空隙形成部材を配置するステップと、前記流路の型と、前記空隙形成部材とを樹脂で覆うステップと、前記樹脂を硬化するステップと、硬化した前記樹脂を前記流路の型と、前記空隙形成部材とから取り外して、前記樹脂に前記流路と空隙部とを形成するステップと、取り外した前記樹脂を基板に接着するステップと、前記空隙部から、前記流路と前記空隙部との間の側壁を貫通させて、前記流路に注入部を挿入するステップと、を含む。
【００１８】
これにより、流路に挿入された注入部によって、流路と、側壁とを密閉したマイクロ流路チップを形成することができる。したがって、流路を流れる第１流体と、注入部から注入された第２流体とを適切に混合させることのできるマイクロ流路チップを得ることができる。
【発明の効果】
【００１９】
本発明によれば、マイクロ流路内において、流体を適切に混合させることができる。
【図面の簡単な説明】
【００２０】
【図１】図１は、本発明の実施形態に係るマイクロ流路デバイスの構成の一例を示す概略図である。
【図２】図２は、本発明の実施形態に係るマイクロ流路デバイスのアクチュエータの一例を示す断面図である。
【図３】図３は、本発明の実施形態に係るマイクロ流路チップを形成する流れの一例を示すフローチャートである。
【図４】図４は、本発明の実施形態に係るマイクロ流路チップを形成する方法の一例を説明するための図である。
【図５】図５は、本発明の実施形態に係るマイクロ流路チップを形成する方法の一例を説明するための図である。
【図６】図６は、本発明の実施形態に係るマイクロ流路チップを形成する方法の一例を説明するための図である。
【図７】図７は、本発明の実施形態に係るマイクロ流路チップを形成する方法の一例を説明するための図である。
【発明を実施するための形態】
【００２１】
以下、図面を参照しながら、本発明の実施形態について詳細に説明する。なお、各図において同一または相当する部分には同一の符号を付して適宜説明は省略する。また、下記実施形態または実施例における構成要素には、当業者が置換可能かつ容易なもの、あるいは実質的に同一のものが含まれる。さらに、以下に記載した構成要素は適宜組み合わせることが可能であり、また、実施形態または実施例が複数ある場合には、各実施形態または実施例を組み合わせることも可能である。
【００２２】
図１を参照して、本発明の実施形態に係るマイクロ流路デバイス１の構成の一例について説明する。図１は、本発明の実施形態に係るマイクロ流路デバイス１の構成の一例を示す概略図である。
【００２３】
図１に示すように、マイクロ流路デバイス１は、マイクロ流路チップ１０と、アクチュエータ２０と、シリンジポンプ３０と、制御装置４０とを備える。マイクロ流路デバイス１は、例えば、マイクロ流路内を流れる第１流体に第２流体を注入し、エマルジョンを生成する装置として好適に使用することができる。
【００２４】
マイクロ流路チップ１０は、例えば、バイオテクノロジ分野などにおいて、溶液の混合、精製、検出などに使用される矩形状のチップである。このようなマイクロ流路チップ１０は、例えば、ガラス基板上にシリコン樹脂を装着することによって形成されている。マイクロ流路チップ１０は、試料投入槽１１ａと、流路１１ｂと、廃棄槽１１ｃと、空隙部１２と、注入部１３とを備える。
【００２５】
試料投入槽１１ａは、マイクロ流路チップ１０内に、試料を投入するために用いられる槽である。本実施形態では、試料投入槽１１ａには第１流体Ａが投入される。なお、第１流体Ａには、特に制限はないが、例えば、細胞が内部に入っている細胞培養液である。
【００２６】
流路１１ｂは、流体が通過する流路であり、試料投入槽１１ａと、廃棄槽１１ｃとを繋いでいる。そのため、試料投入槽１１ａに投入された第１流体Ａは、流路１１ｂを通過して、廃棄槽１１ｃへと移動する。流路１１ｂの幅は、第１流体Ａの液滴の幅や、注入部１３から流路１１ｂに注入される第２流体Ｂの液滴の幅よりも狭いことが好ましい。これにより、流路１１ｂにおいて、第１流体Ａと、第２流体Ｂとを適切に混合させることができる。第２流体Ｂは、例えば、第１流体Ａが内部に細胞が入った細胞培養液である場合、細胞の遺伝子を改変させる遺伝子改変試薬である。なお、第２流体Ｂは、遺伝子改変試薬に限定されるものではない。
【００２７】
廃棄槽１１ｃは、マイクロ流路チップ１０内に投入された試料を回収するために用いられる槽である。本実施形態では、例えば、第１流体Ａと、第２流体Ｂとを混合した第３流体Ｃが廃棄槽１１ｃに回収される。
【００２８】
空隙部１２は、側壁１２１を介して流路１１ｂに隣接して設けられている空隙である。空隙部１２は、注入部１３の先端部分（例えば、針）を流路１１ｂに挿入するために用いられる。具体的には、空隙部１２から注入部１３の先端部分を側壁１２１に突き刺して貫通させることで、注入部１３の先端部分が流路１１ｂに挿入される。このため、側壁１２１の厚みは、注入部１３の先端部分が破壊されずに突き刺さる程度の厚みであることが好ましい。言い換えれば、側壁１２１の厚みは、注入部１３の先端部分のサイズに応じて決定することが好ましい。例えば、注入部１３の先端部分の直径が１５μｍである場合には、側壁１２１の厚みは２０〜４０μｍ程度であることが好ましい。なお、ここで挙げた注入部１３の先端部分の直径および側壁１２１の厚みは例示であり、本発明を限定するものではない。また、側壁１２１の厚みは、注入部１３の硬度などの材料特性に応じて、適宜変更するようにしてもよい。このような空隙部１２は、具体的には後述するが、マイクロ流路チップ１０を形成する際に、ガラス片などの空隙形成部によって形成される。
【００２９】
注入部１３は、空隙部１２の側壁１２１から流路１１ｂに挿入されている。具体的には、注入部１３は、その先端部分を空隙部１２の側壁１２１に突き刺すことで、流路１１ｂに挿入されている。これにより、本実施形態は、流路１１ｂを密閉した状態で、注入部１３を流路１１ｂに挿入することができる。注入部１３は、第１流体Ａと混合するための第２流体Ｂを、流路１１ｂに注入する。具体的には、注入部１３は、第１流体Ａの液滴に先端部分を突き刺して、第２流体Ｂを注入することによって、第１流体Ａと第２流体Ｂとを混合させる。注入部１３は特に限定されないが、例えば、ガラス針を用いることができる。注入部１３はガラス針に限定されず、例えば、金属針を用いてもよい。
【００３０】
本実施形態において、注入部１３は、例えば、アクチュエータ２０とともに、Ｘ軸−Ｙ軸−Ｚ軸の３次元に移動可能なＸＹＺステージ（図示しない）に固定されている。すなわち、本実施形態では、ＸＹＺステージを動かすことによって、側壁１２１に注入部１３の先端部分を突き刺すことができる。ここで、ＸＹＺステージは、手動で動かしてもよいし、自動で動かしてもよい。ＸＹＺステージを自動で動かす場合、ＸＹＺステージには後述の制御装置４０が接続されており、制御装置４０からの制御にしたがってＸＹＺステージを動かす構成とすればよい。
【００３１】
アクチュエータ２０は、注入部１３に接続されており、注入部１３の軸方向（流路１１ｂを横切る方向）に対して振動を与える。これにより、注入部１３は、第１流体Ａの液滴を貫きやすくなるため、第１流体Ａと、第２流体Ｂとが適切に混合されやすくなる。このようなアクチュエータ２０としては、例えば、圧電アクチュエータを用いることができる。
【００３２】
図２を用いて、本実施形態で用いることのできる圧電アクチュエータの一例について説明する。図２は、圧電アクチュエータの一例を示す断面図である。
【００３３】
図２に示すように、アクチュエータ２０は、ピペット保持部材３４を備える圧電アクチュエータ２０ａからなる。圧電アクチュエータ２０ａはその本体を構成するハウジング４８を備えており、内周が筒状に形成されたハウジング４８内には、外周にねじ加工を施されたピペット保持部材３４が挿通されている。ピペット保持部材３４は、その先端側（図２の左側、以下同様）には注入部１３が取り付け固定されている。また、その後端側（図２の右側、以下同様）には、シリンジポンプ３０が接続されている。
【００３４】
ピペット保持部材３４は、転がり軸受８０、８２を介してハウジング４８に支持されている。転がり軸受８０、８２は、それぞれ内輪８０ａ、８２ａと、外輪８０ｂ、８２ｂと、内輪８０ａ、８２ａと外輪８０ｂ、８２ｂとの間に挿入されたボール８０ｃ、８２ｃとを備える。転がり軸受８０、８２は、各内輪８０ａ、８２ａが中空部材８４を介してピペット保持部材３４の外周面に嵌合され、各外輪８０ｂ、８２ｂがハウジング４８の内周面に嵌合され、ピペット保持部材３４を回転自在に支持するようになっている。
【００３５】
内輪８０ａ、８２ａは、中空部材８４を介してピペット保持部材３４に嵌合している。これにより、内輪８０ａ、８２ａにねじ加工を施したピペット保持部材３４の外周面と嵌合することができる。また、転がり軸受８０、８２のピペット保持部材３４への取り付けが簡単になる。
【００３６】
また、中空部材８４は、その軸方向略中央部に径方向外方に突出する内輪間座としてのフランジ部８４ａが設けられ、該フランジ部８４ａの軸方向両側に転がり軸受８０、８２の内輪８０ａ、８２ａが配置される。このとき、中空部材８４とフランジ部８４ａとは一体となっている。その後、内輪８０ａの先端側、および内輪８２ａの後端側からロックナット８６をピペット保持部材３４に螺合し、転がり軸受８０、８２の軸方向位置を固定する。なお、中空部材８４の軸方向寸法は、転がり軸受８０、８２の内輪８０ａ、８２ａの軸方向寸法と、中空部材８４のフランジ部８４ａの軸方向寸法との合計より小さい。このため、内輪８０ａの軸方向先端側および内輪８２ａの軸方向後端側は中空部材８４よりも軸方向に突出する。この結果、内輪８０ａ、８２ａが直接ロックナット８６により軸方向に固定されるので、内輪８０ａ、８２ａの軸方向移動を規制できる。
【００３７】
なお、中空部材８４を設けることで、使用するピペット保持部材３４と転がり軸受８０、８２の内径が同一径でなくともよい。一方で、同一径の場合は、中空部材８４を省いた構成であってもよい。また、中空部材８４とフランジ部８４ａとは一体に構成したが、別体にしてもよい。さらに、一体となった中空部材８４とフランジ部８４ａとを内輪間座として取り扱ってもよい。
【００３８】
さらに、転がり軸受８０、８２と同軸に配置され、ハウジング４８の内周面に正の隙間を持って嵌合する円環状のスペーサ９０が、外輪８２ｂの軸方向後端側に配置される。スペーサ９０の軸方向後端側には、円環状の圧電素子９２がスペーサ９０と略同軸に配置され、さらにその軸方向後端側にはハウジング４８の蓋８８が配置される。蓋８８は、圧電素子９２を軸方向に固定するためのもので、ピペット保持部材３４が挿通する孔部を有する。この蓋８８は、ハウジング４８の側面に不図示のボルトにより締結されている。なお、蓋８８は、ハウジング４８軸方向後端側の内周面および蓋８８の外周面にねじ加工を施して、両者を螺合することにより固定しても良いが、圧電素子９２にねじりモーメントが生じる可能性がある。このため、蓋８８はボルト等により締結固定されることが好ましい。
【００３９】
転がり軸受８０、８２、圧電素子９２は、スペーサ９０の長さを調節し、蓋８８を閉めることにより、予圧が付与される。具体的には、スペーサ９０の長さを調整し、蓋８８を閉めると、その位置に応じた締結力が転がり軸受８２の外輪８２ｂと転がり軸受８０の外輪８０ｂに、軸方向に沿った押圧力として予圧が付与されるとともに、同時に圧電素子９２にも予圧が付与される。これにより、転がり軸受８０、８２および圧電素子９２に所定の予圧が付与され、転がり軸受８０、８２の外輪８０ｂ、８２ｂ間に軸方向間の距離としての間隙９４が形成される。
【００４０】
このように、高剛性のばね要素である転がり軸受８０、８２で予圧を負荷できるため、圧電素子９２への予圧調整を容易に行うことができるとともに、高い応答性を達成できる。
【００４１】
また、圧電素子９２はスペーサ９０を介して転がり軸受８２と接しているので、外輪８２ｂと同じ径の圧電素子や、所定の予圧を付与可能な寸法の圧電素子といった、特別な形状の圧電素子を用いる必要がない。すなわち、図２の例では円環状とした圧電素子９２を、棒状または角柱状としてスペーサ９０の周方向に略等配となるように並べても良く、ピペット保持部材３４を挿通する孔部を有した角筒としても良い。また、スペーサ９０の形状を高精度とすれば、ハウジング４８の内周面は転がり軸受８０、８２と嵌合する程度の精度で形成されているので、圧電素子９２の個体差がある場合にも、転がり軸受８２を均等に押圧することが可能となる。なお、以下で「圧電素子が（略）同軸である」とは、単に円環状の圧電素子がある軸と中心軸を共有する場合のみを示すのではなく、圧電素子がある軸を中心とした円周上に等配に並んでいる場合や、ある軸が角筒の圧電素子の中心を通る場合を含む。
【００４２】
圧電素子９２は、リード線（図示せず）を介して制御回路としての制御装置４０に接続されており、制御装置４０からの電圧に応じてピペット保持部材３４の長手方向（軸方向）に沿って伸縮する圧電アクチュエータの一要素として構成されている。すなわち、圧電素子９２は、制御装置４０からの印加電圧に応答して、ピペット保持部材３４の軸方向に沿って伸縮し、ピペット保持部材３４をその軸方向に沿って微動させるようになっている。ピペット保持部材３４が軸方向に沿って微動すると、この微動が注入部１３に伝達され、注入部１３の位置が微調整されることになる。
【００４３】
圧電素子９２に印加する電圧の電圧波形としては、正弦波、矩形波、三角波などを用いることができる。また圧電素子９２に電圧を印加する方法としては、操作者が制御装置４０に接続されたボタン等を押している間、信号波形を連続して出力して駆動してもよいし、バースト波形を使用してもよい。
【００４４】
再び図１を参照する。シリンジポンプ３０は、アクチュエータ２０を介して注入部１３に接続されており、注入部１３が流路１１ｂに注入する第２流体Ｂの液量を調整する。具体的には、シリンジポンプ３０は、注入部１３に加える圧力を調整することによって、注入部１３から流路１１ｂに注入される第２流体Ｂの液量を調整する。
【００４５】
制御装置４０は、アクチュエータ２０と、シリンジポンプ３０とに接続されている。すなわち、アクチュエータ２０と、シリンジポンプ３０とは、制御装置４０からの制御にしたがって、駆動する。このような制御装置４０は、例えば、ＣＰＵ（Central  Processing  Unit）を含む電子的な回路で実現することができる。また、制御装置４０は、例えば、ＲＡＭ（Random  Access  Memory）、ＲＯＭ（Read  Only  Memory）、フラッシュメモリ（Flash  Memory）などの半導体メモリ素子、または、ハードディスク、ソリッドステートドライブ、光ディスクなどの記憶手段を備えている。そして、制御装置４０は、記憶手段に格納されたプログラムを展開して実行することによって、アクチュエータ２０と、シリンジポンプ３０とを制御する。
【００４６】
図３〜図７を用いて、本発明の実施形態に係るマイクロ流路チップ１０を製造する流れについて説明する。図３は、マイクロ流路チップ１０を製造する方法の流れの一例を示すフローチャートである。図４〜図７は、本発明の実施形態に係るマイクロ流路チップ１０を形成する方法の一例を説明するための図である。
【００４７】
まず、型に空隙形成部材を設置する(ステップＳ１０１)。具体的には、図４に示すように、試料投入槽型５１と、流路型５２と、廃棄槽型５３とを有する型５０を用意する。そして、流路型５２の近傍に隙間を介して空隙形成部６０を配置する。ここで、空隙形成部６０は、例えば、ガラス片である。空隙形成部６０はガラス片に限定されず、例えば、金属片や、樹脂片であってもよい。
【００４８】
次に、型５０と空隙形成部６０とを樹脂で覆う(ステップＳ１０２)。具体的には、図５に示すように、型５０と、空隙形成部６０との全体を樹脂７０で覆う。樹脂７０は、例えば、ポリジメチルシロキサン（ＰＤＭＳ）であるが、これに限定されない。樹脂７０は、他のシリコン樹脂であってもよい。
【００４９】
次に、試料投入槽１１ａと、流路１１ｂと、廃棄槽１１ｃと、空隙部１２とを形成する(ステップＳ１０３)。具体的には、樹脂７０がポリジメチルシロキサンである場合、例えば、６０℃で１時間程度加熱して、樹脂７０を硬化させる。そして、硬化した樹脂７０を型５０から取り外す。これにより、図６に示すように、硬化した樹脂７０には、試料投入槽１１ａと、流路１１ｂと、廃棄槽１１ｃと、空隙部１２とが形成される。ここで、図６に示す、空隙部１２の右側部分は開放されている。また、ステップＳ１０１で流路型５２の近傍に隙間を介して空隙形成部６０を配置しているので、流路１１ｂと、空隙部１２との間には、側壁１２１が形成される。側壁１２１の厚さは、空隙形成部６０を配置する位置を変更することによって、調整することができる。
【００５０】
次に、硬化した樹脂７０を基板に装着する(ステップＳ１０４)。具体的には、図７示すように、試料投入槽１１ａと、流路１１ｂと、廃棄槽１１ｃと、空隙部１２とが外部に露出するように、硬化した樹脂７０を基板１００に装着する。ここで、基板１００は、例えば、ガラス基板であるが、これに限定されない。
【００５１】
次に、流路１１ｂに注入部１３を挿入する(ステップＳ１０５)。具体的には、注入部１３が固定されているＸＹＺステージを動作させて、注入部１３の先端部分を、空隙部１２の右側の開放されている部分から空隙部１２に挿入し、側壁１２１に突き刺して貫通させることによって、流路１１ｂに注入部１３を挿入する。これにより、注入部１３によって密閉された空間を形成することができる。このような場合、例えば、注入部１３の先端部分を斜め上方から挿入することになるため、注入部１３の先端部分は、基板１００に対して、平行であることが好ましい。
【００５２】
上述のとおり、本実施形態は、空隙部１２から側壁１２１に注入部１３を突き刺すことで流路１１ｂに液体を注入している。このため、本実施形態は、マイクロ流路チップ１０の構造をシンプルにすることができる。
【００５３】
また、本実施形態は、流路１１ｂの幅を、第１流体Ａの液滴および第２流体Ｂの液滴の幅よりも小さく、かつ第２流体Ｂはアクチュエータ２０で駆動させる注入部１３から注入されている。このため、本実施形態は、単に針から流体を注入する方法に比べて、流体の注入精度を向上させることができる。
【００５４】
また、本実施形態は、空隙部１２をガラス片などの空隙形成部６０によって形成している。このため、本実施形態は、空隙部１２を形成する際に水を使用していないので、空隙部１２を形成する際に水が蒸発してしまう心配がないので、マイクロ流路チップ１０を熱硬化樹脂でも作製することができる。
【符号の説明】
【００５５】
１  マイクロ流路デバイス
１０  マイクロ流路チップ
１１ａ  試料投入槽
１１ｂ  流路
１１ｃ  廃棄槽
１２  空隙部
１２１  側壁
１３  注入部
２０  アクチュエータ
３０  シリンジポンプ
３４  ピペット保持部材
４０  制御装置
４８  ハウジング
５０  型
５１  試料投入槽型
５２  流路型
５３  廃棄槽型
６０  空隙形成部
７０  樹脂
８０、８２  転がり軸受
８０ａ、８２ａ  内輪
８０ｂ、８２ｂ  外輪
８０ｃ、８２ｃ  ボール
８４  中空部材
８４ａ  フランジ部
８６  ロックナット
８８  蓋
９０  スペーサ
９２  圧電素子
９４  間隙
１００  基板
【図１】
2020014980.tif 000003
【図２】
2020014980.tif 000004
【図３】
2020014980.tif 000005
【図４】
2020014980.tif 000006
【図５】
2020014980.tif 000007
【図６】
2020014980.tif 000008
【図７】
2020014980.tif 000009